(57)【特許請求の範囲】
【請求項１】
所定のハウス形状を分割した発泡スチロールからなる複数のピースをモルタル粉混入の接着剤によって接合することによりハウス本体を組み立てる工程と、
無機質繊維で構成されたメッシュシートを少なくとも前記ピースの接合部分を覆うように前記接着剤で貼り付ける工程と、
無機質繊維及びモルタル粉を樹脂塗料に分散させた下地材を前記ハウス本体の室外面及び室内面に所定の厚さで塗布する工程と、
前記室外面の下地材の上に撥水性及び紫外線遮断性の外装塗料を塗布し、前記室内面の下地材の上に天然物由来の粘土状塗料を塗布する工程と、
前記複数のピースが土台に立設される構造とし、前記ピースの土台からの立ち上がり部分と土台の対応部分とにかけて前記メッシュシートにより覆った後、前記下地材を前記メッシュシートの覆い部分を含めたハウス本体の室外面及び室内面に塗布する工程と、を備えることを特徴とする組立式ハウスの構築方法。
【請求項２】
前記メッシュシートの貼り付け工程は、組み立てられたハウス本体の外面の略全体を覆うように貼り付けられることを特徴とする請求項１に記載の組立式ハウスの構築方法。
【請求項３】
前記ハウス本体の室内面の下地材に対して、その上段側に前記天然物由来の粘土状塗料を塗布し、その下段側に前記外装塗料を塗布したことを特徴とする請求項１または２に記載の組立式ハウスの構築方法。
【請求項４】
前記外装塗料として変性シリコーン樹脂塗料を用いることを特徴とする請求項１ないし３のいずれか１項に記載の組立式ハウスの構築方法。
【請求項５】
前記天然物由来の粘土状塗料として珪藻土または漆喰を用いることを特徴とする請求項１ないし３のいずれか１項に記載の組立式ハウスの構築方法。
【請求項６】
所定のハウス形状を分割した発泡スチロールからなる複数のピースをモルタル粉混入の接着剤によって接合することによりハウス本体が構築された組立式ハウスであって、
無機質繊維で構成されたメッシュシートが少なくとも前記ピースの接合部分を覆うように貼り付けられ、無機質繊維及びモルタル粉を樹脂塗料に分散させた下地材が前記ハウス本体の室外面及び室内面に所定の厚さで塗布されるとともに、前記室外面の下地材の上に撥水性及び紫外線遮断性の外装塗料が塗布され、前記室内面における下地材の上に天然物由来の粘土状塗料が塗布され、さらに、前記複数のピースが土台に立設され、前記メッシュシートがピースの土台からの立ち上がり部分と土台の対応部分とにかけて覆うように貼り付けられており、このメッシュシートの覆い部分を含めたハウス本体の室外面及び室内面に前記下地材が塗布されていることを特徴とする組立式ハウス。
【請求項７】
前記メッシュシートは、組み立てられたハウス本体の外面の略全体を覆うように貼り付けられていることを特徴とする請求項６に記載の組立式ハウス。
【請求項８】
前記ハウス本体の室内空気が前記ピースを通じて循環される空気循環手段と、空気循環手段によって循環される空気の流路内に設けられた空気浄化手段とを、さらに備えていることを特徴とする請求項６または７に記載の組立式ハウス。
【請求項９】
前記ハウス本体の室内空気が前記ピースを通じて循環される空気循環手段と、空気循環手段によって循環される空気の流路内に設けられる空気加温手段とを、さらに備えていることを特徴とする請求項６または７に記載の組立式ハウス。
【請求項１０】
前記ハウス本体の室内面の下地材に対して、その上段側に前記天然物由来の粘土状塗料を塗布し、その下段側に前記外装塗料を塗布したことを特徴とする請求項６ないし９のいずれか１項に記載の組立式ハウス。
【請求項１１】
前記外装塗料は変性シリコーン樹脂塗料であることを特徴とする請求項６ないし１０のいずれか１項に記載の組立式ハウス。
【請求項１２】
前記天然物由来の粘土状塗料は珪藻土または漆喰であることを特徴とする請求項６ないし１０のいずれか１項に記載の組立式ハウス。
【請求項１３】
発泡スチロールからなる床部材がハウス本体内の床部分に敷設されていることを特徴とする請求項６ないし１２のいずれか１項に記載の組立式ハウス。
【発明の詳細な説明】
【技術分野】
【０００１】
本発明は、屋外の宿泊施設、レジャー施設、その他の施設として好適に用いることができる組立式ハウス及びその構築方法に関する。
【背景技術】
【０００２】
屋外の宿泊施設等の屋外施設としては、木材を組み付けたバンガローや布材を用いたテントが知られている。しかしながら、バンガローは木材を組み付る際に、金属製のアングル材やブラケットを用いる必要があるばかりでなく、ボルトによる締め付けが必要であり、構築が面倒で手間がかかる問題を有している。また、テントは施工が簡単である反面、耐久性に劣り、しかも断熱性に劣るため居住性が悪い問題を有している。
【０００３】
特許文献１には、発泡スチロールからなる複数のピースを接合することによりドーム形状等の屋外施設を構築することが記載されている。発泡スチロールは軽量であり、取り扱いを容易に行うことができると共に、断熱性を有しており、良好な居住性を有しているためである。また、廃棄の際に燃やしても有害なガスが発生しないため、環境への悪影響がないメリットも有している。
【特許文献１】国際公開番号Ｗ００１／４４５９３
【発明の開示】
【発明が解決しようとする課題】
【０００４】
発泡スチロールからなる複数のピースを接合した組立式ハウスにおいては、次のような課題がある。
【０００５】
発泡スチロールの表面には下地材としてモルタルが使用されるが、風などの外圧や雪や雨などの影響でひびが入る場合がある。そのため機能的には問題がなくても、外観が低下する。また。下地材を厚くして対策すると、垂直な壁面など工数と時間のかかるものとなる。
【０００６】
各ピースの接合部分において、接着剤がその間隙を充分埋め尽くされず、凹みなどが生じていると、下地材の厚みが一定ではなくなるから、下地材の施工時、乾く速度に差が出てひびが入る場合がある。
【０００７】
発泡スチロールの紫外線による劣化を防ぐため、酸化チタン粉等を混入した塗料が塗布される。しかし、これらの紫外線遮断性の塗料は、雨や雪等によって脱落し易い。そのため、修理を含めた維持費が必要となる。
【０００８】
ピースの接合部分に、金属梁や桟等の補強材を組み込み、ピース間の連結をより強化する工法がある。しかし、この工法は、コスト高で施工が複雑になる。
【０００９】
本発明の目的は、下地材のひび割れを防止し、各ピースの連結を強化でき、居住性を向上させる組立式ムハウス及びその構築方法を提供することにある。
【課題を解決するための手段】
【００１０】
請求項１記載の発明は、組立式ハウスの構築方法であって、所定のハウス形状を分割した発泡スチロールからなる複数のピースをモルタル粉混入の接着剤によって接合することによりハウス本体を組み立てる工程と、無機質繊維で構成されたメッシュシートを少なくとも前記ピースの接合部分を覆うように前記接着剤で貼り付ける工程と、無機質繊維及びモルタル粉を樹脂塗料に分散させた下地材を前記ハウス本体の室外面及び室内面に所定の厚さで塗布する工程と、前記室外面の下地材の上に撥水性及び紫外線遮断性の外装塗料を塗布し、前記室内面の下地材の上に天然物由来の粘土状塗料を塗布する工程と、前記複数のピースが土台に立設される構造とし、前記ピースの土台からの立ち上がり部分と土台の対応部分とにかけて前記メッシュシートにより覆った後、前記下地材を前記メッシュシートの覆い部分を含めたハウス本体の室外面及び室内面に塗布する工程と、を備えることを特徴とする。
【００１１】
請求項２記載の発明は、請求項１記載の組立式ハウスの構築方法であって、前記メッシュシートの貼り付け工程は、組み立てられたハウス本体の外面の略全体を覆うように貼り付けられることを特徴とする。
【００１２】
請求項３記載の発明は、請求項１または２に記載の組立式ハウスの構築方法であって、前記ハウス本体の室内面の下地材に対して、その上段側に前記天然物由来の粘土状塗料を塗布し、その下段側に前記外装塗料を塗布したことを特徴とする。
【００１３】
請求項４記載の発明は、請求項１〜３のいずれか１項に記載の組立式ハウスの構築方法であって、前記外装塗料として変性シリコーン樹脂塗料を用いることを特徴とする。
【００１４】
請求項５記載の発明は、請求項１〜３のいずれか１項に記載の組立式ハウスの構築方法であって、前記天然物由来の粘土状塗料として珪藻土または漆喰を用いることを特徴とする。
【００１５】
請求項６記載の発明は、組立式ハウスであって、所定のハウス形状を分割した発泡スチロールからなる複数のピースをモルタル粉混入の接着剤によって接合することによりハウス本体が構築された組立式ハウスであって、無機質繊維で構成されたメッシュシートが少なくとも前記ピースの接合部分を覆うように貼り付けられ、無機質繊維及びモルタル粉を樹脂塗料に分散させた下地材が前記ハウス本体の室外面及び室内面に所定の厚さで塗布されるとともに、前記室外面の下地材の上に撥水性及び紫外線遮断性の外装塗料が塗布され、前記室内面における下地材の上に天然物由来の粘土状塗料が塗布され、さらに、前記複数のピースが土台に立設され、前記メッシュシートがピースの土台からの立ち上がり部分と土台の対応部分とにかけて覆うように貼り付けられており、このメッシュシートの覆い部分を含めたハウス本体の室外面及び室内面に前記下地材が塗布されていることを特徴とする。
【００１６】
請求項７記載の発明は、請求項６に記載の組立式ハウスであって、前記メッシュシートは、組み立てられたハウス本体の外面の略全体を覆うように貼り付けられていることを特徴とする。
【００１７】
請求項８記載の発明は、請求項６または７に記載の組立式ハウスであって、前記ハウス本体の室内空気が前記ピースを通じて循環される空気循環手段と、空気循環手段によって循環される空気の流路内に設けられた空気浄化手段とを、さらに備えていることを特徴とする。
【００１８】
請求項９記載の発明は、請求項６または７に記載の組立式ハウスであって、前記ハウス本体の室内空気が前記ピースを通じて循環される空気循環手段と、空気循環手段によって循環される空気の流路内に設けられる空気加温手段とを、さらに備えていることを特徴とする。
【００１９】
請求項１０記載の発明は、請求項６〜９のいずれか１項に記載の組立式ハウスであって、前記ハウス本体の室内面の下地材に対して、その上段側に前記天然物由来の粘土状塗料を塗布し、その下段側に前記外装塗料を塗布したことを特徴とする。
【００２０】
請求項１１記載の発明は、請求項６〜１０のいずれか１項に記載の組立式ハウスであって、前記外装塗料は変性シリコーン樹脂塗料であることを特徴とする。
【００２１】
請求項１２記載の発明は、請求項６〜１０のいずれか１項に記載の組立式ハウスであって、前記天然物由来の粘土状塗料は珪藻土または漆喰であることを特徴とする。
【００２２】
請求項１３記載の発明は、請求項６〜１２のいずれか１項に記載の組立式ハウスであって、発泡スチロールからなる床部材がハウス本体内の床部分に敷設されていることを特徴とする。
【発明の効果】
【００２３】
請求項１による組立式ハウスの構築方法は、ピースの接合部分に対し、無機質繊維で構成されたメッシュシートを接着剤で貼り付けて、その上からモルタルを含む下地材を塗って固定するから、ピースの接合状態をより強固に保持することができる。これにより、組み付け後の下地材のひび割れや、ピースのずれも確実に防止することができる。強度増大のためのピース接合部に金属製の補強材を装着することも不要となる。構築工法が簡単化できる。さらに、メッシュシートは、ピースの接合部分を覆うため、例えば、凹みなどがあっても、これを平坦化するから、下地材の厚さを均一に塗れるようにする効果もある。そのため、厚さに起因する下地材のひび割れを防ぐことができる。また、下地材そのものにも、無機質繊維を混ぜたので、それ自体の強度が増しひび割れを防止できる。室外面の下地材の上に、撥水性及び紫外線遮断性の外装塗料である変性シリコーンを塗布したから、紫外線によるピースの劣化を防止することができる。撥水性があるから、雨や雪をはじくことができ、脱落も少ないからメンテナンスフリーである。室内面の下地材の上に天然物由来の粘土状塗料である珪藻土または漆喰を塗布したから、合板などから出るホルムアルデヒド等の有害ガスを吸着あるいは分解でき、居住性を向上させることができる。また、メッシュシートを土台とこの土台に接続されるピースの部分を覆うように貼り付けて下地材で固定するから、さらに堅固に固定にできる。
【００２４】
請求項２による組立式ハウスの構築方法は、メッシュシートを組み立てられたハウス本体の外面全体を覆うように貼り付けるから、各ピースを全体に渡ってさらに強固に固定することができる。
【００２５】
請求項３による組立式ハウスの構築方法は、ハウス本体の室内面の下地材に対して、その上段側に前記天然物由来の粘土状塗料を塗布し、その下段側に前記外装塗料を塗布したから、特に下段側の壁は、落書きに強くできる。
【００２６】
請求項４による組立式ハウスの構築方法は、外装塗料として変性シリコーン樹脂塗料を使用するから、安価で撥水性及び紫外線遮断性に優れるとの効果を享受できる。撥水性があるので、雨や雪によるひび割れに強い。
【００２７】
請求項５による組立式ハウスの構築方法は、粘土状塗料として珪藻土を使用する場合、湿度を調整する機能があるので結露せず、遮音性や脱臭性にも優れ、揮発性のホルムアルデヒドを吸着できる。粘土状塗料として漆喰を使用する場合、強アルカリ性でカビの発生を抑え、酸性気体であるホルムアルデヒドを吸収し分解できる。
【００２８】
請求項６による組立式ハウスは、請求項１と同様の効果を得ることができる。
【００２９】
請求項７による組立式ハウスは、請求項２と同様の効果を得ることができる。
【００３０】
請求項８による組立式ハウスは、空気循環手段と空気浄化手段を組立式ハウスの内部に組み込んだので、より快適な居住性を得ることができる。
【００３１】
請求項９による組立式ハウスは、空気循環手段と空気加温手段を組立式ハウスの内部に組み込んだので、より快適な居住性を得ることができる。
【００３２】
請求項１０による組立式ハウスは、請求項３と同様の効果を得ることができる。
【００３３】
請求項１１による組立式ハウスは、請求項４と同様の効果を得ることができる。
【００３４】
請求項１２による組立式ハウスは、請求項５と同様の効果を得ることができる。
【００３５】
請求項１３による組立式ハウスは、床部材に発泡スチロールを使用したので、発泡スチロールはその９８％が空気であるから良好な床下の断熱性が得られる。
【図面の簡単な説明】
【００３６】
【図１】本発明の一実施形態でドーム形の組立式ハウスの正面図である。
【図２】組立式ハウスの平面図である。
【図３】組立式ハウスの組み立てを示す分解斜視図である。
【図４】ピースの接合を示す斜視図である。
【図５】メッシュシートを接合部に貼り付けた斜視図である。
【図６】メッシュシートをハウス全体に貼り付けた斜視図である。
【図７】ハウス本体の部分断面図である。
【図８】別の実施形態のハウス本体の部分断面図である。
【図９】ピースの接合構造の別の形態を示す断面図である。
【図１０】ピースの別の形態を示す斜視図である。
【図１１】床に床部材と空気循環手段と空気浄化手段を組み込んだ形態の第１例を示す断面図である。
【図１２】床に床部材と空気循環手段と空気浄化手段を組み込んだ形態の第２例を示す分解斜視図である。
【図１３】図１２の形態における床下パイプの配置を示す平面図である。
【図１４】図１２の形態における床下パイプの水平断面図である。
【図１５】床に床部材と空気循環手段と空気浄化手段を組み込んだ形態の第３例を示す床パイプの配置図である。
【図１６】メッシュシートが土台とピースの接合部に使用される場合の断面図である。
【図１７】メッシュシートが土台とピースの接合部に使用される場合の室外側から見た斜視図である。
【図１８】メッシュシートが土台とピースの接合部に使用される場合の室内側から見た断面図である。
【図１９】メッシュシートが土台の上に設けられた支持材とピースの接合部に使用される場合の断面図である。
【図２０】各種形態の組立式ハウスを示す斜視図である。
【符号の説明】
【００３７】
１    組立式ハウス
２    ハウス本体
３    土台
３ａ    支持面
３ｂ    係合段部
４    ピース
４ａ    係合片
４ｂ    切欠部
４ｃ    端面
４ｆ    脚部
５    ブロック
６    連結プレート
７    ボルト
８    連結部材
１０    ピースの接合部分
１１    メッシュシート
１１ａ、１１ｂ、１１ｃ    メッシュシート
１３    下地材（室内面側）
１４    下地材（室外面側）
１５    変性シリコーン樹脂塗料（室外面側）
１７    変性シリコーン樹脂塗料（室内面側）
１８    珪藻土
１９    凹凸部
２１ａ    凸部
２１ｂ    凹部
２２    配索用溝
２３    床部材
２３ａ    凹部
２３ｂ    連通溝
２３ｃ    凸部
２４    床パネル
２４ａ    通気孔
２５    空気浄化手段
２６    パイプ
２７    換気扇
２８    支持材
３０    組立式ハウス
３１    側壁部
３２    屋根部
３３    側壁のピース
３４    屋根のピース
６０    カーペット
６１    ファン
６２    ヒータ
１００〜９００    組立式ハウスの構成例
【発明を実施するための最良の形態】
【００３８】
以下、添付図面に基づいて本発明の最良の実施形態を具体的に説明する。
【００３９】
図１〜図６は、本発明の一実施形態でドーム形の組立式ハウスを示す。この実施形態の組立式ハウス１は、図１〜図３に示すように、ドーム形のハウス本体２を有し、このハウス本体２が土台３上に立設されることにより構築される。
【００４０】
ハウス本体２は、複数のピース４を円周線回りに接合することにより形成される。すなわちピース４は、その左右の両端面が隣接するピースと接合されることによりハウス本体２を構成するものである。ピース４は、ドーム形状となっているハウス本体２における縦方向の中心軸を中心にしてドーム形状を放射状に複数に分割した形状となっている。この場合、ピース４は中心軸を中心としてドーム形状を等分割した形状とすることが好ましい。これにより、全てのピース４が同サイズとなるため、施工がし易く、しかも発泡成形用の金型を共通に使用することができる等のメリットがある。
【００４１】
それぞれのピース４は発泡スチロールによって形成されるものである。このため、ピース４が軽く、取り扱いを良好に行うことができると共に、ハウス本体２の構築を容易に行うことが可能となる。この場合、ピース４の厚さ及び発泡スチロールの発泡倍率は、組立式ハウスの使用環境によって適宜選定されるものであり、例えば、断熱性や強度が要求される使用環境の場合には、発泡倍率を小さくかつピース４を厚くし、それ以外の使用環境の場合には、発泡倍率を大きく、ピース４を薄くすることができる。
【００４２】
それぞれのピース４は、その下端部が土台３に係合することにより土台３上に立設される。土台３は円を等分割した複数の円弧状のブロック５によって形成され、複数のブロック５を連結することにより平面から見て円環状となっている。ブロック５はコンクリートやステンレス等によって成形され、隣接するブロック５はステンレス等の耐食性金属からなる連結プレート６及びボルト７によって連結される。
【００４３】
土台３には、ピース４の下端面を支承する円環状の支持面３ａが形成される。支持面３ａ上には、上方に向かって延びかつ外側にＬ字形に屈曲した係合段部３ｂが形成され、この係合段部３ｂと支持面３ａとの間にピース４の下端部が挿入されることにより、ピース４の下端部が土台３と係合する。一方、ピース４の下端部には、内方側に屈曲した係合片４ａが一体的に形成され、この係合片４ａが係合段部３ｂと支持面３ａとの間に挿入される。
【００４４】
それぞれのピース４の上端部は、円弧状に切り欠かれた切欠部４ｂがある。切欠部４ｂは、ピース４を接合してハウス本体２を形成したときに連結用孔部（図示省略）をハウス本体２の頂部に構成するためのものである。この連結用孔部には、連結部材８が取り付けられる。図示を省略するが、連結部材８は上述した土台３と同様に、ピース４の上端部が挿入されることによりピース４の上端部に係合する。これにより、ピース４の上端部を束ねるように作用する。なお、連結部材８としては、開閉調整可能な通気口（図示省略）を有する天窓とすることが好ましい。
【００４５】
次に、この実施形態におけるドーム形状の組立式ハウスの構築手順を、図４〜図６を参照して説明する。
【００４６】
発泡スチロールからなるピース４を接合する際には、隣接するピース４の端面４ｃを相互に当接させる（図４参照）。この場合、ピース４の端面４ｃには、モルタル粉混入の接着剤（図示省略）を塗布し、この接着剤を介して隣接するピース４を接合する。すなわち接着剤によりハウス本体２の目地部を接着するものである。図４において、符号１０はハウス本体２の目地部としてのピース４の接合部分（実施形態では、接合線）である。接着剤としては、ポリアクリル酸エステルやポリメタクリル酸エステル等のアクリル樹脂が使用され、このアクリル樹脂にモルタル粉が混入して分散されている。アクリル樹脂は、発泡スチロールに対しての接着力が大きく、従って発泡スチロールからなるピース４を相互に強固に接合することができる。
【００４７】
ピース４の接着剤として、モルタル粉混入のアクリル樹脂を用いることにより接着剤が弾性を有した強靱性を備えるため、耐震性、耐衝撃性に優れたものとすることができる。このため、地震や振動、衝撃があってもハウス本体２の目地部にクラックが入ることがない。また、この接着剤は耐水性を有しているため、目地部からの雨水の浸入を長期間防ぐことができる。なお、隣接するピース４の接合に際しては、下端部の係合片４ａを土台３の支持面３ａと係合段部３ｂとの間に挿入しながら行うものである。
【００４８】
図５は、ピース４の接合によってドーム形状のハウス本体２を形成した後の工程を示し、ハウス本体２の目地部に対してメッシュシート１１を貼り付けるものである。接着剤は、前記のピース４の接合に使用したモルタル粉の入ったアクリル接着剤でよい。これを接合部分を含めてメッシュシート１１の形状に塗り、メッシュシート１１を貼り付け、さらにその上から再度接着剤を薄く塗布する。乾燥には２４ｈ程度の時間をおく。メッシュシート１１は、ハウス本体２の目地部であるピース４の接合部分１０に沿って、その全長を覆うように貼り付けられる。
【００４９】
メッシュシート１１としては、無機繊維で形成されたものが望ましい。無機繊維とは、炭素繊維、ガラス繊維、金属繊維を指す。張力のある樹脂系の繊維からなるシートでもよい。シートは網目状に編まれた形態が望ましく、本実施例では、炭素繊維で厚さ０．３〜１ｍｍ、６メッシュ（目数が１インチ当たり６個）のものを使用した。１２メッシュを超えると目が細かすぎて作業しにくく、６メッシュ以下は目が粗すぎる。これにより、ハウス本体２の目地部（ピース４の接合部分１０、図４参照）には、上述したモルタル粉混入のアクリル樹脂の接着力に加えて、メッシュシート１１の強度や強靱性が作用し、ピース４を相互に強固に接合することができる。
【００５０】
この実施形態のようにメッシュシート１１をピース４の接合部分１０に対して貼り付けることにより接合部分１０の接合力が強化される。ピース４の接着剤の塗布量が少ない接合部分１０の凹部を埋め、メッシュシート１１で上から覆うから、外面の凹凸をなくすことができる。外面が平坦状となると、その後にハウス本体２に塗布される下地材や外装塗料、内装用の粘土状塗料の厚みを均一とすることができる。そのため、下地材の固化を均一化することができ、これらにクラックが発生することがなくなる。
【００５１】
なお、図６に示すように、メッシュシート１１をピース４の接合部分１０も含めてハウス本体２の全面を覆うように貼り付けてもよい。
【００５２】
メッシュシート１１の貼着の後においては、下地材をハウス本体２の室内面及び室外面の全体に所定の厚さで塗布する。下地材としては、ガラス繊維や炭素繊維等の繊維及びモルタル粉を樹脂塗料に分散させたものを使用する。樹脂塗料としては、ポリメタクリル酸エステルやポリアクリル酸エステル等のアクリル樹脂、その他の樹脂を使用することができる。下地材は、１〜３ｃｍの範囲で、所定の厚さとしている。なお、このような下地材とすれば、従来の下地材より薄くすることが可能である。
【００５３】
図７において、符号１３はハウス本体２（ピース４）の室内面に塗布された下地材、符号１４は室外面に塗布された下地材である。このような下地材１３、１４として、上述の組成物を用いることによりピース４相互の接合状態を強固に保持することができる。また、下地材１３、１４が繊維を含有しているため、ハウス本体２への塗布後に亀裂が発生し難い。また、下地材１３、１４は、モルタル粉を含有しており、このため硬く強固な塗装膜となり内部の発泡スチロールからなるピース４が振動を起こしても外部に振動が伝達されることがない。
【００５４】
下地材１３、１４の塗布後には、ハウス本体２の室外面における下地材１４の面に対して外装塗料を塗布すると共に、室内面における下地材１３の面に対して内装用の塗料を塗布する。
【００５５】
外装塗料としては、撥水性及び紫外線遮断性の塗料が塗布される。このような特性を有する塗料としては、変性シリコーン樹脂塗料、その他の樹脂塗料を選択することができる。図７において、符号１５は、外装塗料として室外面の下地材１４に塗布された変性シリコーン樹脂塗料である。
【００５６】
この変性シリコーン樹脂塗料１５は、シリコーン粒子を含有しているため、良好な撥水性を有しており、雨や雪をはじくことができ、しかも下地材１４との結合力が大きいため脱落することがない。このためドームハウス１を屋外に設置しても、長期間使用することが可能な耐久性を付与することができる。
【００５７】
また、変性シリコーン樹脂塗料１５は、紫外線を遮断する作用を有している。このためハウス本体２の室外面に変性シリコーン樹脂塗料１５を塗布することにより、紫外線が変性シリコーン樹脂塗料１５内部のピース４に到達することなく、紫外線によるピース４の劣化を抑制することができる。さらに、変性シリコーン樹脂塗料１５は、表面張力が小さいため、汚れが付着し難い。このため、ハウス本体２の外面の清掃を簡単に行うことができ、保守が容易となる。以上の作用を有する変性シリコーン樹脂塗料としては、例えば、アルキド変性シリコーン樹脂塗料等を使用することができる。さらに、変性シリコーン樹脂塗料からなる外装塗料に対しては、チタン白やマイカ等の顔料を混練させてもよく、これにより、ハウス本体２の外面に対する着色を容易に行うことができる。
【００５８】
ハウス本体２の室内面における下地材１３の面に対する内装用の塗料としては、天然物由来の粘土状塗料が使用される。天然物由来の粘土状塗料としては、珪藻土または漆喰を選択することができる。図７において、符号１８は、天然物由来の粘土状塗料としての珪藻土である。この珪藻土１８は、ハウス本体２の室内面における高さ方向の上段側に塗布されるものである。
【００５９】
この場合、室内面における高さ方向の下段側には、室外面と同じ上述した外装塗料が塗布される。符号１７は室内面の高さ方法の下段側に塗布された外装塗料としての変性シリコーン樹脂塗料である。変性シリコーン樹脂塗料１７をハウス本体２の高さ方向における下段側に塗布することにより、上述した特性をハウス本体２の下段側に付与することができる。また、室内面の下段側に変性シリコーン樹脂塗料１７が塗布されることにより、下段側の表面張力が小さくなるため、落書きが付着しにくいと共に付着しても簡単に拭き取ることができる。このため、組立式ハウス１をレジャー施設として用いた場合など清掃が簡単である。
【００６０】
ハウス本体２の室内面における高さ方向の上段側に塗布された珪藻土１８は、藻類からなる植物プランクトンを原料するものであり、酸化ケイ素を主成分とした粘土状となっている。酸化ケイ素を主成分とした珪藻土１８は耐熱性を有し、タバコ等の軽度な火が接触しても、燃えることがなく安全である。
【００６１】
また、珪藻土１８は、ホルムアルデヒドを吸着して除去する作用を有しているため、下地材１３や外装塗料である変性シリコーン樹脂塗料１７から何らかの作用によってホルムアルデヒドが発生してもこれが室内に留まることを防止することができる。さらに、珪藻土１８は有害物質を吸着除去するため安全であると共に、脱臭作用を有するばかりでなく、ダニやカビの発生を防止する作用を有している。このため、ドームハウス使用者の健康を増進することができるだけでなく、ドームハウス１の室内における居住性を格段に向上させることができる。
【００６２】
この実施形態において、ハウス本体２の室内面における高さ方向上段側に塗布される天然物由来の粘土状塗料としては、珪藻土１８に代えて漆喰を用いることができる。漆喰は土壌中の消石灰を主成分とするものであり、これに麻スサ、ぎんなん草等を混合することにより粘土状となっている。この漆喰は、珪藻土１８と同様にホルムアルデヒドを吸着除去する特性を有するため、使用者の健康を害することがない。また、重ね塗りが可能なため、表面に除去し難い汚れが付着した場合であっても、その補修を簡単に行うことができる。さらに、耐火性であるため燃えにくい特性も有している。
【００６３】
このような実施形態のドーム形状の組立式ハウス１では、ピース４を強固に接合することができるため、組み付け後における分解を確実に防止することができる。また、強度増大のための金属製の補強材が不要となるため、組立式ハウス１の構築を簡単に行うことができるばかりでなく、組立式ハウス１、すなわちハウス本体２の構造を簡単にすることが可能となる。
【００６４】
図８は、本発明による別の実施形態の断面を示す。この形態においても、ハウス本体２を構成する発泡スチロールからなるピース４の接合線に沿って、無機質繊維混入のメッシュシートが貼り付けられる。また、ハウス本体２の室内面及び室外面には、樹脂及びモルタル粉をアクリル樹脂等の樹脂塗料に分散させた下地材１３、１４が塗布される。さらに、ハウス本体２の室外面における下地材１４面には撥水性及び紫外線遮断性の外装塗料としての変性シリコーン樹脂塗料１５が塗布されている。
【００６５】
図８の実施形態では、ハウス本体２の室内面に天然物由来の粘土状塗料としての珪藻土１８が塗布されるものである。珪藻土１８はハウス本体２の室内面の全体に塗布されており、これにより、図７の実施形態のような上下段での塗り分けが不要となっている。また、珪藻土１８がハウス本体２の室内面の全体に塗布されることにより、ホルムアルデヒドや有害物質の吸着除去や脱臭作用、さらにはダニやカビの発生を防止する作用を室内面の全体で行うことができる。この場合、この実施形態においても、珪藻土１８に代えて、漆喰を室内面の全体に塗布してもよい。
【００６６】
図９はピース４の接合構造部の形態を示す。同図（ａ）では、ピース４の対向端面に階段状の凹凸部２１が形成され、この凹凸部２１が相互に噛み込んでいる。また、同図（ｂ）では、ピース４の対向端面に噛み込み凸部２１ａ及び噛み込む凹部２１ｂが形成されることにより相互に噛み込んだ状態となっている。これらの場合においても、ピース４の対向端面の間には、無機質繊維及びモルタル粉混入の樹脂塗料が塗布されてピース４が接合されるものである。このように相互に噛み込む構造とすることにより、ピース４の相互の接合力を増大させることができる。従って、ピース４を強固に接合させることが可能となる。なお、ピース４の端面形状は、図示する形態に限定されるものではなく、種々変形が可能である。この図９に示す構造においても、図示を省略するが、上述したメッシュシート１１をピース４の接合部分を覆うように貼り付けることによりピース４を強固に接合することが可能となっている。
【００６７】
図１０はピース４の別の形態を示し、室内面側に電気コード等の配索用溝２２が形成されている。配索用溝２２は、電気コテ等をピース４の室内面に沿って移動させることにより形成するものであり、ピース４が発泡スチロールからなるため、配索用溝２２を簡単に形成することができる。形成された配索用溝２２の内部には、電気コード、パソコン等のランケーブル、その他のケーブルを配置した後、上述した外装塗料や粘土状塗料あるいは専用の埋め込み材によって配索用溝２２を封鎖する。このような配索用溝２２を形成することより、電灯、冷蔵庫、テレビ、パソコンその他の電気機器への電力供給や信号の伝送を行うことができる。このため、組立式ハウス１の使用価値を向上させることができる。なお、配索用溝２２は室外面に形成してもよい。
【００６８】
本発明において、ハウス本体における床部分に発泡スチロールからなる床部材を配置することができる。床部材を発泡スチロールによって形成することにより、ピース４によって構成される壁部分に加えて、床部分も断熱性となって、居住性が向上される。
【００６９】
図１１は、床に床部材２３と空気循環手段と空気浄化手段を組み込んだ形態の第１例を示す断面図である。床部材２３は、ピース４によって構成されるハウス本体２の床部分に配置されている。この床部材２３は、発泡スチロールからなるピースを接着剤によって接合して形成することができる。床部材２３の上には、樹脂からなる床パネル２４が敷設される。
【００７０】
次に、図１１に示すように、空気循環手段は、床部材２３の上面に適当な間隔を有して形成される凹部２３ａと、隣接する凹部２３ａ間を結ぶ連通溝２３ｂと、床パネル２４の設けられた通気孔２４ａと、側壁内に設けられたパイプ２６と、換気扇２７からなる。各凹部２３ａ内には竹炭、活性炭等からなる空気浄化手段２５が配置されている。従って、ハウス本体２内の空気は、換気扇２７から吸い込まれ、空気浄化手段２５で埃や悪臭が除去されて、通気孔２４ａから再び室内に戻される。従って、ハウス本体２の室内の空気を浄化することができ、居住性をさらに向上させることができる。
【００７１】
図１２は、床に床部材と空気循環手段と空気浄化手段を組み込んだ形態の第２例を示す分解斜視図である。図１２に示す形態では、床下の空気通路の一部に金属製の床下パイプ２９を使用した。その他の床パネル２４、通気孔２４ａ、発泡スチロール製の床部材２３、その凸部２３ｃ、空気浄化手段２５などは、図１１と同じ構成である。なお、カーペット６０は、通気性のある素材を使用している。
【００７２】
図１３は、図１２の形態における床下パイプ２９の配置を示す平面図である。床下パイプ２９は、一端がハウス本体２の側壁に連結され、他端が床の中心部方向を向いて配置される。床下パイプ２９を放射状に配置してもよい。この例では、床下パイプ２９を計１２本使用した。このようにして、浄化された空気は、床パネル２４の全面から、通気孔２４ａを介して、室内の上方に上昇する。また上昇した空気は、ハウス本体２の上部円周方向から満遍なく集められ循環される。
【００７３】
図１４は、床下パイプ２９の水平断面図である。図１４に示すように、循環する空気を加温するため、床下パイプ２９の内部には、ファン６１、ヒータ６２が設けられる。
【００７４】
図１５は、床に床部材と空気循環手段と空気浄化手段を組み込んだ形態の第３例を示す床下パイプの配置図である。第３例では、ここでは、図１１の形態に示すような、ピース４の側壁内に設けられたパイプ２６と、換気扇２７は省略される。床下パイプ２９の一端の、実線の矢印で示す開口部は、床下パイプ２９内のファンの回転方向によって、噴出口となる場合と吸入口になる場合がある。
【００７５】
図１６〜図１８はメッシュシートを使用する別の形態を示す。メッシュシート１１は、隣接するピース４の接合部分１０に対し貼り付けられるが、これに加えて、図１６に示すように、ピース４と土台３の接続部分にも貼り付けられる。すなわち、図１６〜図１８に示すように、ハウス本体２の外周側と内周側とにメッシュシート１１ａ、１１ｂが貼り付けられる。
【００７６】
ハウス本体２の室外面側の下端部には、図１７に示すように、土台３の対応部分にメッシュシート１１ａが貼り付けられる。メッシュシート１１ａは、ハウス本体２の下端外周側を連続して覆うものであり、横並びとなって隣接したピース４及び土台３にかけて連続的に貼り付けられる。ハウス本体２の室内面側に対しても同様であり、図１８に示すように、ピース４の内面の下端部と、これに対応した土台３の対応部分とにかけてメッシュシート１１ｂが連続的に貼り付けられる。なお、ピース４の内面における下端部には、室内側に延びた脚部４ｆが一体的に形成されており、メッシュシート１１ｂはこの脚部４ｆから土台３の対応部分にかけて貼り付けられる。なお、ハウス本体２の室内面及び室外面に対しては、下地材１３、１４が塗布されるが、この塗布によってメッシュシート１１、１１ａ及び１１ｂが隠蔽されるため、外観の低下を防止している。
【００７７】
このようにピース４の接合部分１０に加えて、ピース４における土台３からの立ち上がり部分及びこれと対応する土台３の対応部分とにかけてメッシュシート１１ａ、１１ｂによって覆うことにより、土台３との結合強度が大きくなるため、土台３上に安定してハウス本体２を立設させることができる。
【００７８】
図１９は、メッシュシートが、土台の上に設けられた支持材とピースの接合部に使用される場合の断面図である。この形態では、コンクリート製の土台３上に発泡スチロールからなる支持材２８が固定されている。支持材２８は土台３の一部を構成するものである。そして、この支持材２８上に複数のピース４が立設している。ピース４における支持材２８からの立ち上がり部分と、この立ち上がり部分と対応した支持材２８の対応部分とにかけてメッシュシート１１ａ、１１ｂが貼り付けられる。メッシュシート１１ａは、ハウス本体２における室外面下部に貼り付けられ、メッシュシート１１ｂは室内面下部に貼り付けられる。
【００７９】
図１９の形態は、土台３としての支持材２８上に、床部材２３が敷設されるものであり、この床部材２３と各ピース４とにかけてメッシュシート１１ｃが貼り付けられる。メッシュシート１１ｃは、各ピース４と床部材２３との境界部分であるハウス本体２のコーナー部を覆うように貼り付けられる。すなわち、メッシュシート１１ｃは、ハウス本体２における室内面のコーナー部を連続的に覆うように貼り付けられる。これにより各ピース４と床部材２３との結合強度が大きくなり、ハウス本体２と床部材２３とを安定して結合できる。
【００８０】
図２０は、各種形態の組立式ハウスを示す斜視図である。それぞれは、ドーム型１００、ロングドーム型２００〜４００、片ドーム片バイザー（ｖｉｓｏｒ：日よけ）型５００、片ドーム片アーチ型６００、両アーチ型７００、片アーチ片バイザー型８００、両バイザー型９００である。これらのモデルでは、側壁部３１及び屋根部３２を有し、側壁のピース３３を隣接するように接合することにより側壁部３１が形成され、屋根のピース３４を隣接するように接合することにより屋根部３２が形成される。これらのピースは発泡スチロール製で、その接合に上述のメッシュシート１１を用いる。これにより、ピース相互間の結合強度を向上させ、組立式ハウスを安定した構造とすることができる。
【産業上の利用可能性】
【００８１】
本発明による組立式ハウス及びその構築方法は、屋外の宿泊施設、レジャー施設、その他の施設として好適である。
【図１】
0004513032.tif 000002
【図２】
0004513032.tif 000003
【図３】
0004513032.tif 000004
【図４】
0004513032.tif 000005
【図５】
0004513032.tif 000006
【図６】
0004513032.tif 000007
【図７】
0004513032.tif 000008
【図８】
0004513032.tif 000009
【図９】
0004513032.tif 000010
【図１０】
0004513032.tif 000011
【図１１】
0004513032.tif 000012
【図１２】
0004513032.tif 000013
【図１３】
0004513032.tif 000014
【図１４】
0004513032.tif 000015
【図１５】
0004513032.tif 000016
【図１６】
0004513032.tif 000017
【図１７】
0004513032.tif 000018
【図１８】
0004513032.tif 000019
【図１９】
0004513032.tif 000020
【図２０】
0004513032.tif 000021